(57)【要約】【課題】光ピックアップ装置のモータを駆動する際に発生する振動による、対物レンズアクチュエータの振動変移の増加量を抑える。【解決手段】光ピックアップ装置１に備えられた光源３から出射された光を、光ディスク上に集光させる際の対物レンズ２９の球面収差を補正するために、補正レンズ移動手段８を移動させることにより第１補正レンズ６を移動させる。補正レンズ移動手段８は、モータと複数のギヤを備えており、ギヤの回転により発生する振動周波数の影響によって、対物レンズアクチュエータ１０の振動変位が増加することを回避するために、ギヤの回転により発生する振動周波数を、対物レンズアクチュエータ１０の共振周波数の１．５倍以上に設定する。【選択図】  図１
2004253049.tif 000002
【特許請求の範囲】
【請求項１】
光源と、該光源から出射された光を光記録媒体上に集光する対物レンズと、該対物レンズを移動させる対物レンズ移動手段と、該光源と対物レンズとの間に位置し、対物レンズの球面収差を補正する補正レンズと、該補正レンズを移動させる補正レンズ移動手段とを備えた光ピックアップ装置において、
上記補正レンズ移動手段は、モータと、モータの駆動力を伝達する伝達機構とを備え、上記伝達機構を介してモータの駆動力を伝達することにより補正レンズを移動させ、
上記伝達機構は、モータの駆動力を伝達する際に発生する振動周波数が、対物レンズ移動手段の共振周波数の１．５倍以上となるように設定されていることを特徴とする光ピックアップ装置。
【請求項２】
上記伝達機構が複数の振動周波数を発生し、該複数の振動周波数のうち最も低い振動周波数が、対物レンズ移動手段の共振周波数の１．５倍以上となるように設定されていることを特徴とする請求項１に記載の光ピックアップ装置。
【請求項３】
上記伝達機構は、上記モータの駆動力を伝達するギヤを複数備えることによって、伝達機構から発生される振動周波数が、対物レンズ移動手段の共振周波数の１．５倍以上となるように設定されていることを特徴とする請求項１に記載の光ピックアップ装置。
【発明の詳細な説明】
【０００１】
【発明の属する技術分野】
本発明は、光ピックアップ装置に関するものである。より詳しくは、対物レンズの球面収差を補正するための機構系を有する光ピックアップ装置に関するものである。
【０００２】
【従来の技術】
光ディスクは書換え可能、媒体交換可能という利点を持つ大容量のディスクであり、近年、ＣＤ（Ｃｏｍｐａｃｔ  Ｄｉｓｋ）、ＣＤ−Ｒ（Ｃｏｍｐａｃｔ  Ｄｉｓｋ  Ｒｅｃｏｒｄａｂｌｅ）、ＣＤ−ＲＷ（Ｃｏｍｐａｃｔ  Ｄｉｓｋ  Ｒｅｗｒｉｔａｂｌｅ）、ＤＶＤ−ＲＷ（Ｄｉｇｉｔａｌ  Ｖｅｒｓａｔｉｌｅ  Ｄｉｓｋ  Ｒｅｗｒｉｔａｂｌｅ）、ＤＶＤ−ＲＡＭ（Ｄｉｇｉｔａｌ  Ｖｅｒｓａｔｉｌｅ  Ｄｉｓｋ  Ｒａｎｄｏｍ  Ａｃｃｅｓｓ  Ｍｅｍｏｒｙ）等の数多くの規格の光ディスクが存在している。また、最近はＤＶＤよりもさらに高記録密度化、および大容量化された光ディスクに対する要求がますます強くなっている。
【０００３】
このような、光ディスクに用いられる光ディスク装置の光学系においては、記録信号の高密度化を図るために、ディスク記録面上に集光するスポット径を小さくすることが求められる。スポット径を小さくするための手法としては、一般的に、対物レンズのＮＡ（開口率）を高くするとともに、光源であるレーザ波長の短波長化を図るという手法が用いられている。
【０００４】
しかしながら、このように対物レンズのＮＡを高くした場合、対物レンズの球面収差は、従来のＮＡを用いた対物レンズの球面収差と比べて大きくなってしまう。詳細に説明すると、対物レンズの球面収差は、対物レンズのＮＡの４乗と光ディスクの光学的透明層の厚さの１乗とに比例して大きくなるため、例えば対物レンズのＮＡを０．６程度とした場合に、問題とはならないような球面収差量であっても、対物レンズのＮＡを０．８〜０．９としたときに、その球面収差量は、ＮＡが０．６程度の対物レンズの球面収差量と比べて３〜５倍に増加してしまう。この球面収差量の増加を回避するために、光学的透明層の厚さを薄くすることにより球面収差量の増大を回避する手法が考えられる。例えば、従来の光学的透明層の厚さが０．６ｍｍとした場合に、厚さを０．１ｍｍにすることによって球面収差量の増大を回避することができる。しかしながら、光学透明層の厚さにはばらつきがあり、球面収差量の増大を回避するためには、この厚さのばらつきについても、従来の光学的透明層の厚さのばらつきの１／６に抑える必要がある。しかしながら、光学的透明層の厚さのばらつきを１／６に抑えることは現在の技術では困難である。
【０００５】
このため、球面収差量の増大を回避するための方法として、光学的透明層の厚さが異なる光ディスクの記録を再生する際に発生する球面収差を補正するための複数の補正レンズを備え、補正レンズを移動させることにより補正レンズ間の光軸上の間隔を可変するものが提案されている（例えば、特許文献１）。また、リニア駆動系を用いて、補正レンズの位置を光路内外に移動させることにより、球面収差を低減させるものが提案されている（例えば、特許文献２）。
【０００６】
また、レーザの短波長化に伴い、そのレーザの発振波長の変動による光学部品材料の屈折率変化が大きくなる。これを原因とする球面収差を補正するために、補正レンズを光軸方向に移動可能な可動要素（アクチュエータ）を有する光ピックアップ装置が提案されている（例えば、特許文献３）。また、別の要因、例えば光ピックアップ装置周囲の環境温度または湿度が変化することによりプラスチックレンズが変形し、屈折率が変化することによって球面収差が発生することを補正するために、補正レンズを光軸方向に変移可能な可動要素（アクチュエータ）を有する光ピックアップ装置が提案されている（例えば、特許文献３）。
【０００７】
【特許文献１】
特開平９−１９７２６４号公報（公開日：平成９年７月３１日）
【０００８】
【特許文献２】
特開平１０−２４１２０１号公報（公開日：平成１０年９月１１日）
【０００９】
【特許文献３】
特開２００２−８２２８０号公報（公開日：平成１４年３月２２日）
【００１０】
【発明が解決しようとする課題】
しかしながら、光ピックアップ装置としての光ピックアップハウジング内に、補正レンズの位置を移動させるアクチュエータを設けた場合には、以下のような問題が懸念される。
【００１１】
光ピックアップハウジング内には、光ディスクの記録面に情報の書き込み、または読み取りを行うための対物レンズと、光ディスクの記録面に対して対物レンズの位置を正確に位置合わせして追従させるための対物レンズアクチュエータとが配置されている。対物レンズアクチュエータは、外部からの振動を受けた場合には、対物レンズを透過した光を正確に光ディスクの記録面上に位置合わせすることができず、信号品質の低下を招き、最悪の場合には記録再生が不可能となってしまうことがある。そして、補正レンズを移動させるアクチュエータに、回転型のモータと伝達機構としてのギヤユニットとを組み込んだ場合には、図５に示すように、補正レンズを移動させるためにモータ５０を回転させたときに、ギヤユニットのギヤ同士の歯が衝突することにより振動が発生する。この振動が光ピックアップハウジング５１に伝わり、光ピックアップハウジング５１に取り付けられている対物レンズアクチュエータの板バネ５２に外乱として伝達され、対物レンズ５３を振動させてしまうという問題点がある。そして、特に対物レンズアクチュエータの一次共振周波数近傍に、振動源が発する振動の振動周波数があった場合には、対物レンズ５３の振動がより大きくなる。
【００１２】
ここで、光ピックアップハウジング内に振動源がある場合の対物レンズアクチュエータに及ぼす影響と比較するために、光ピックアップハウジング外に振動源がある場合の対物レンズアクチュエータに及ぼす影響について以下に説明する。
【００１３】
図６に示すように、光ピックアップハウジング５１には、光ディスク５４を回転駆動させるスピンドルモータ５５や光ピックアップハウジング５１を光ディスク５４の径方向に移動可能にするスレッドモータ５６が備えられている。振動源であるスピンドルモータ５５やスレッドモータ５６は、同一の光ピックアップハウジング５１内に配置されていない。このため、振動源から発生した振動は、スピンドルモータ５５やスレッドモータ５６が取り付けられているベース５７を経由してから、光ピックアップハウジング５１を支持しているガイド５８を伝わることによって光ピックアップハウジング５１を振動させる。そして、その振動が対物レンズアクチュエータの板バネおよび対物レンズ５３を振動させる。すなわち、振動の伝達経路が長いために、その経路の途中にあるベース５７の剛性を上げる、または質量を増やす等、振動を途中で減衰させるための対策がとりやすい。
【００１４】
しかしながら、対物レンズの球面収差を補正するために設けられているモータは光ピックアップハウジング内に配置されているため、振動源と対物レンズアクチュエータとが近接して配置されるために、上記対策は効果がない。したがって、振動の減衰は小さく、対物レンズに与える影響は大きくなる。また、光ピックアップハウジングの剛性を上げ、質量を増加させる手法も考えられる。しかし、この場合においても、光ピックアップハウジングは光ディスクの径方向に移動して情報を記録再生する必要があるため、質量を大幅に増加させることにより、径方向に高速に移動させることが困難になり、データアクセス時間の増加を招いてしまう結果になってしまう。
【００１５】
本発明は、上記の問題点を解決するためになされたもので、補正レンズを移動させるためにモータを駆動する際に発生する振動による、対物レンズアクチュエータの振動変位の増加量を抑えることを可能とし、記録再生特性に優れた光ピックアップ装置を提供することを目的とする。
【００１６】
【課題を解決するための手段】
本発明にかかる光ピックアップ装置は、上記課題を解決するために、光源と、該光源から出射された光を光記録媒体上に集光する対物レンズと、該対物レンズを移動させる対物レンズ移動手段と、該光源と対物レンズとの間に位置し、対物レンズの球面収差を補正する補正レンズと、該補正レンズを移動させる補正レンズ移動手段とを備えた光ピックアップ装置において、上記補正レンズ移動手段は、モータと、モータの駆動力を伝達する伝達機構とを備え、上記伝達機構を介してモータの駆動力を伝達することにより補正レンズを移動させ、上記伝達機構は、モータの駆動力を伝達する際に発生する振動周波数が、対物レンズ移動手段の共振周波数の１．５倍以上となるように設定されていることを特徴としている。
【００１７】
上記構成によれば、上記伝達機構がモータの駆動力を伝達する際に発生する振動周波数を、対物レンズ移動手段の共振周波数の１．５倍以上に設定することにより、対物レンズ移動手段の振動変位が低減される。上記設定は、例えば、伝達機構に複数のギヤを設けることにより、モータの回転数を段階的に低減させることにより実現することができる。伝達機構がモータの駆動力を伝達する際に発生する振動周波数が、対物レンズ移動手段の共振周波数と共振するような周波数であった場合には、対物レンズ移動手段は伝達機構の振動の影響を受けて大きく振動し、光記録媒体上に安定した集光を行うことが困難となる。これに対して、伝達機構がモータの駆動力を伝達する際に発生する振動周波数を、対物レンズ移動手段の共振周波数の１．５倍とした場合には、対物レンズ移動手段の共振を回避することが可能となる。また、振動周波数を共振周波数の１．５倍よりもさらに大きくすることにより、伝達機構の振動による対物レンズ移動手段の影響をさらに小さくすることが可能となる。すなわち、伝達機構がモータの駆動力を伝達する際に発生する振動周波数を、対物レンズ移動手段の共振周波数の１．５倍以上に設定することにより、対物レンズ移動手段の共振を回避することができる。また、これにより、対物レンズ移動手段の振動変位を小さくすることが可能となるため、光記録媒体上に安定した集光を行うことができる。
【００１８】
本発明にかかる光ピックアップ装置は、上記構成に加え、上記伝達機構が複数の振動周波数を発生し、該複数の振動周波数のうち最も低い振動周波数が、対物レンズ移動手段の共振周波数の１．５倍以上となるように設定されていることを特徴としている。
【００１９】
伝達機構が複数の振動周波数を発生する場合に、そのうちの最も低い振動周波数が、対物レンズ移動手段の振動に最も影響を与える。したがって、上記構成によれば、伝達機構が発生する複数の振動周波数のうち最も低い振動周波数を、対物レンズ移動手段の共振周波数の１．５倍以上となるように設定することにより、対物レンズ移動手段の振動変位をより小さくすることが可能となる。これにより、光記録媒体上に安定した集光を行うことができる。
【００２０】
本発明にかかる光ピックアップ装置は、上記構成に加え、上記伝達機構は、上記モータの駆動力を伝達するギヤを複数備えることによって、伝達機構から発生される振動周波数が、対物レンズ移動手段の共振周波数の１．５倍以上となるように設定されていることを特徴としている。
【００２１】
上記構成によれば、伝達機構がモータの駆動力を伝達するギヤを複数備えていることにより、モータの駆動力を伝達することができるとともに、モータの回転数を段階的に低減することができるため、伝達機構が発生する振動周波数の設定を容易に行うことが可能となる。これにより、対物レンズ移動手段の振動変位を容易に小さくすることが可能となり、光記録媒体上に安定した集光を行うことができる。
【００２２】
【発明の実施の形態】
本発明の実施の一形態について図１ないし図４に基づいて説明する。
【００２３】
図１および図２は、本発明の光ピックアップ装置１の概略を示す平面図および断面図である。図１および図２に示すように、本発明の光ピックアップ装置１は、光ピックアップハウジング２の中に、光源３、ホログラム４、コリメートレンズ５、第１補正レンズ（補正レンズ）６、第２補正レンズ（補正レンズ）７、補正レンズ移動手段８、立ち上げミラー９、対物レンズアクチュエータ（対物レンズ移動手段）１０、光検出器１１を備えた構成である。
【００２４】
光ピックアップハウジング２は、後述する光学部品が一体的に取り付けられ、ガイド機構１２および図示しない駆動手段によって、光ディスク（光記録媒体）１３の径方向に移動するようになっている。光源３は、光ディスク１３の情報を読み取るための光、例えば半導体レーザ等の光を出射するものである。ホログラム４は、回折格子であって、光源３から出射された光を透過するとともに、光ディスク１３からの反射光を回折し後述する光検出器１１へ導くようになっている。コリメートレンズ５は、ホログラム４を透過した光を平行光束化するものである。
【００２５】
第１補正レンズ６および第２補正レンズ７は、光ディスク１３の記録面上での球面収差が小さくなるように収差を補正するものであり、コリメートレンズ５を透過した光を平行光、収斂光、または発散光に変換するようになっている。また、第１補正レンズ６は、移動可能な後述する補正レンズホルダー１８（図３）に収納され、固定されている。
【００２６】
補正レンズ移動手段８は、第１補正レンズ６を移動させるものである。図３は、補正レンズ移動手段８を示す平面図であり、補正レンズ移動手段８は、モータ１４、ギヤユニット（伝達機構）１５、リードスクリュー１６、連結アーム１７、補正レンズホルダー１８、マグネット１９、およびホール素子２０を備えている。
【００２７】
ギヤユニット１５は、モータ１４の軸に取り付けられ、モータ１４と一体的に構成された４段の伝達機構である。本実施の形態においては、第１ギヤ２１、第２ギヤ２２、第３ギヤ２３および第４ギヤ２４と、対応するギヤと噛み合うようになっている第１ピニオン２５、第２ピニオン２６、第３ピニオン２７および第４ピニオン２８とを備えている。
【００２８】
リードスクリュー１６は、ギヤユニット１５と連結しており、ギヤユニット１５から伝達された駆動力により回転するようになっている。また、リードスクリュー１６は、ネジ状構造を有しており、ネジ状構造部分で連結アーム１７の一方の端部と連結している。連結アーム１７は、他方の端部で補正レンズホルダー１８と連結しており、連結アーム１７は、リードスクリュー１６の回転により推力を受け、補正レンズホルダー１８を移動させるようになっている。
【００２９】
マグネット１９は、モータ１４の軸に２極着磁されており、ホール素子２０とともにモータ１４の回転数を検出するようになっている。
【００３０】
立ち上げミラー９は、光を反射し光路を変えるものであり、第２補正レンズ７を透過した光を対物レンズ２９に入射させるようになっている。また、光ディスク１３からの反射光の光路を変え、第２補正レンズ７に導くようになっている。
【００３１】
対物レンズアクチュエータ１０は、対物レンズ２９、板バネ３０、対物レンズホルダー３１、コイル３２、磁気回路３３を備えており、対物レンズ２９をフォーカス方向およびトラッキング方向の２方向に移動させるものである。ここで、フォーカス方向とは、光ディスク１３の表面に対して垂直な方向をいい、トラッキング方向とは、フォーカス方向に対して垂直な方向をいう。対物レンズアクチュエータ１０は、光源３から出射された光束に対する傾き調整、および光ディスク１３を取り付ける基準の高さに対する高さ調整を行った後に、紫外線硬化型接着剤等によって光ピックアップハウジング１に固定されている。また、対物レンズアクチュエータ１０は、光ディスク１３の面ぶれや外乱等を受けた場合であっても、光ディスク１３と対物レンズアクチュエータ１０との位置関係を一定に保つように、フォーカスサーボおよびトラッキングサーボがかけられている。
【００３２】
対物レンズ２９は、立ち上げミラー９にて反射された光を光ディスク１３の記録面上に集光するものである。また、光ディスク１３から反射された光を透過するようになっている。対物レンズ２９は、対物レンズホルダー３１にて固定されており、対物レンズホルダー３１は、４本の板バネ３０によって、主にフォーカス方向およびトラッキング方向に自由度を持つように固定部３４に取り付けられている。対物レンズホルダー３１には、コイル３２が取り付けられており、コイル３２は、固定部３４に一体となっているもしくは別部品として固定されている磁気回路３３（ヨーク部とマグネット部とを含む）と組み合わされている。コイル３２に電流を印加することにより、対物レンズアクチュエータ１０を駆動し、対物レンズ２９をフォーカス方向およびトラッキング方向に移動するようになっている。
【００３３】
光ディスク１３から反射された反射光は、対物レンズ２９を透過した後に、立ち上げミラー９にて反射され、第２補正レンズ７、第１補正レンズ６、コリメートレンズ５を透過してホログラム４に達する。反射光は、ホログラム４にて回折され、光検出器１１へ導かれるようになっている。
【００３４】
光検出器１１は、ホログラム４にて回折された反射光を受光することによって、光ディスク１３に記録された信号を検出するとともに、フォーカスサーボ信号、トラッキングサーボ信号および球面収差信号を検出するようになっている。
【００３５】
上記構成を有する光ピックアップ装置１を用いて光ディスク１３に記録された信号を検出する機構について説明する。
【００３６】
光源３から出射された光は、ホログラム４を０次回折光として透過する。ホログラム４を透過した光は、コリメートレンズ５を透過して平行光束となる。コリメートレンズ５を透過した平行光束は、第１補正レンズ６および第２補正レンズ７を透過し、光ディスク１３の記録面上での球面収差を補正するために平行光、収斂光または発散光に変換される。そして、第２補正レンズ７を透過した光は、立ち上げミラー９にて光路を９０°曲げるように反射された後に対物レンズ２９を透過する。対物レンズ２９を透過した光は、光ディスク１３表面の光学的透明層を通過して光ディスク１３の記録面上に集光して照射される。
【００３７】
光ディスク１３の記録面上に照射された光は、記録面にて反射される。反射光は、光源３から出射された光の光路と逆の光路、すなわち、対物レンズ２９、立ち上げミラー９、第２補正レンズ７、第１補正レンズ６、およびコリメートレンズ５をこの順に透過した後にホログラム４に到達する。そして、反射光はホログラム４にて回折され、光検出器１１へ入射する。
【００３８】
光ディスク１３に記録された信号を検出するために光ディスク１３に光を照射している間は、対物レンズアクチュエータ１０に適切なフォーカスサーボおよびトラッキングサーボがかけられている。したがって、光検出器１１は、入射された反射光に基づいて、光ディスク１３に記録された情報を検出するとともに、フォーカスサーボ信号、トラッキングサーボ信号および球面収差信号を検出する。光検出器１１がフォーカスサーボ信号およびトラッキングサーボ信号を検出することにより、光ディスク１３の記録面上の適切な位置に光を集光するように対物レンズ２９を移動させることが可能となる。また、光検出器１１が球面収差信号を検出することにより、例えば同じ光ディスク１３に光学的透明層の厚さが異なる部分がある場合に発生する球面収差や、光ディスク１３に記録された情報を再生する際の周辺環境の変化、または光源３から出射される光の波長の変動等により発生する球面収差を常に補正することが可能となる。
【００３９】
次に、光検出器１１が検出した球面収差信号に基づいて球面収差を補正するために、補正レンズ移動手段８を移動させることによって、第１補正レンズ６を移動させる機構について説明する。
【００４０】
光検出器１１が検出した球面収差信号に基づいて、補正レンズ移動手段８のモータ１４を回転させる。モータ１４の回転に伴い、モータ１４の軸に取り付けられたギヤユニット１５に駆動力が伝達され、第１ピニオン２５と第１ギヤ２１、第２ピニオン２６と第２ギヤ２２、第３ピニオン２７と第３ギヤ２３、および第４ピニオン２８と第４ギヤ２４とがそれぞれ噛み合うことにより回転する。各ギヤが回転することによって、ギヤユニット１５に連結されたリードスクリュー１６が回転する。リードスクリュー１６の回転により、リードスクリュー１６に連結された連結アーム１７が移動する。そして、連結アーム１７に連結された第１補正レンズ６を固定している補正レンズホルダー１８が、図示しないガイド機構に沿って光軸方向に移動する。
【００４１】
本実施の形態においては、第１ピニオン２５、第２ピニオン２６、第３ピニオン２７、および第４ピニオン２８の歯数はそれぞれ９となっており、第１ギヤ２１、第２ギヤ２２、第３ギヤ２３、および第４ギヤ２４の歯数はそれぞれ２６となっている。このため、例えばモータ１４の回転軸の回転数を１６０００ｒｐｍとした場合に、第１ピニオン２５と第１ギヤ２１との衝突により発生する振動周波数は、
１６０００／６０×９＝２４００（Ｈｚ）
となる。以下同様に、第２ピニオン２６と第２ギヤ２２との衝突により発生する振動周波数は、
２４００／２６×９＝８３０（Ｈｚ）
第３ピニオン２７と第３ギヤ２３との衝突により発生する振動周波数は、
８３０／２６×９＝２８７（Ｈｚ）
第４ピニオン２８と第４ギヤ２４との衝突により発生する振動周波数は、
２８７／２６×９＝９９（Ｈｚ）
となる。
【００４２】
すなわち、各ギヤの回転によって発生する振動周波数は、それぞれ２４００Ｈｚ、８３０Ｈｚ、２８７Ｈｚ、９９Ｈｚとなっており、モータ１４の回転数を低減させるようになっている。また、このとき、リードスクリュー１６は、９９／２６＝３．８（Ｈｚ）で回転する。また、リードスクリュー１６のネジ状構造部分のピッチを、例えば０．３（ｍｍ）とした場合、第１補正レンズ６は、３．８×０．３＝１．１４（ｍｍ／ｓ）の速度で光軸方向に移動する。すなわち、モータ１４が１回転する毎に第１補正レンズ６は４．３μｍ移動する。したがって、モータ１４の回転数を検出することにより第１補正レンズ６の位置を検出することができるようになっている。
【００４３】
次に、補正レンズ移動手段８の各ギヤの回転により発生する振動が、対物レンズアクチュエータ１０に対して及ぼす影響を考察するために、対物レンズアクチュエータ１０のフォーカス方向における振動特性について図４に基づいて説明する。図４は、対物レンズアクチュエータ１０の振動特性を示すグラフである。
【００４４】
本実施の形態においては、対物レンズアクチュエータ１０の一次共振周波数は、例えば、フォーカス方向が５０Ｈｚ、トラッキング方向が５０Ｈｚと、互いに同じ一次共振周波数に設定されている。図４に示すように、対物レンズアクチュエータ１０の振動変位は、各ギヤの回転により発生する振動が１０Ｈｚ程度の場合から徐々に大きくなり、５０Ｈｚ近傍で最大となる。そして、周波数が５０Ｈｚ以上になると徐々に小さくなり、一次共振周波数の約１．５倍である７５Ｈｚでは、振動変位が０ｄＢより小さくなる。７５Ｈｚ以上の周波数では、振動変位は周波数の２乗に比例して小さくなり、本実施の形態における各ギヤの振動周波数の最小値である９９Ｈｚ以上においては、振動変位が−１０ｄＢ以下となる。すなわち、５０Ｈｚ時の最大振動変位と比較して約１／３以下の振動変位に減衰されることになる。したがって、対物レンズアクチュエータ１０の振動を低減することができる。
【００４５】
本実施の形態のように、板バネ３０等の弾性バネによって支持されている対物レンズアクチュエータ１０の振動特性は、一自由度粘性減衰系の振動特性とほぼ一致する。すなわち、対物レンズアクチュエータ１０が外部から力（振動周波数）を受けたときの変位の振動特性は、図４に示すように、その一次共振周波数付近で変位が最大となる。この変位の最大量は、振動減衰項によって影響を受ける。また、対物レンズアクチュエータ１０の外部から受ける力（振動周波数）が対物レンズアクチュエータ１０の一次共振周波数よりも大きくなるにつれて、対物レンズアクチュエータ１０はその振動に応答することができなくなるため、その変位量は小さくなる。すなわち、一次共振周波数の１．５倍という値は、対物レンズアクチュエータ１０の外部から受けた力（振動周波数）による変位が、一次共振周波数の影響によって変位量が拡大されない値であるとともに、振動減衰項の値によってもほとんど変わることがない値である。したがって、一次共振周波数の１．５倍以上とすることによりいかなる振動減衰項を有する対物レンズアクチュエータ１０に対しても振動を増幅させることを回避することができる。
【００４６】
対物レンズアクチュエータ１０の振動特性は、対物レンズアクチュエータ１０の一次共振を減衰させるために光ピックアップハウジング２に用いられているダンピング部材の特性や、対物レンズアクチュエータ１０の周辺環境、例えば温度または湿度等によって変化する。しかしながら、上述のように、各ギヤの回転により発生する周波数を、対物レンズアクチュエータ１０の一次共振周波数の１．５倍以上に設定することにより、対物レンズアクチュエータ１０の振動変位の増大を回避することができる。また、モータ１４の回転数を変化させる場合であっても、各ギヤの回転により発生する振動周波数のうち、最も低い振動周波数が対物レンズアクチュエータ１０の一次共振周波数の１．５倍以上になる範囲となるように回転数を変化させることにより、対物レンズアクチュエータ１０の振動低減効果を得ることができる。
【００４７】
なお、本実施の形態においては、対物レンズアクチュエータ１０のフォーカス方向とトラッキング方向との一次共振周波数がともに同じである例について説明したが、本発明はこれに限定されるものではない。例えば、フォーカス方向の一次共振周波数と、トラッキング方向の一次共振周波数とが異なる場合には、各ギヤの回転により発生する振動周波数のうちの最も低い周波数を、フォーカス方向またはトラッキング方向のいずれか高い方の一次共振周波数の１．５倍以上となるように設定することにより、対物レンズアクチュエータ１０の振動低減効果を得ることができる。
【００４８】
また、本実施の形態における対物レンズアクチュエータの振動特性等は、一例を示したにすぎず、本発明はこの数値に限定されるものではない。
【００４９】
【発明の効果】
以上のように、本発明にかかる光ピックアップ装置は、補正レンズ移動手段は、モータと、モータの駆動力を伝達する伝達機構とを備え、上記伝達機構を介してモータの駆動力を伝達することにより補正レンズを移動させ、上記伝達機構は、モータの駆動力を伝達する際に発生する振動周波数が、対物レンズ移動手段の共振周波数の１．５倍以上となるように設定されている構成である。
【００５０】
上記構成によれば、伝達機構がモータの駆動力を伝達する際に発生する振動周波数を、対物レンズ移動手段の共振周波数の１．５倍以上に設定することにより、対物レンズ移動手段の共振を回避することができる。また、これにより、対物レンズ移動手段の振動変位を小さくすることが可能となるため、光記録媒体上に安定した集光を行うことができるという効果を奏する。
【００５１】
上記の光ピックアップ装置において、上記伝達機構が複数の振動周波数を発生し、該複数の振動周波数のうち最も低い振動周波数が、対物レンズ移動手段の共振周波数の１．５倍以上となるように設定されている構成としてもよい。
【００５２】
上記構成によれば、伝達機構が発生する複数の振動周波数のうち最も低い振動周波数を、対物レンズ移動手段の共振周波数の１．５倍以上となるように設定することにより、対物レンズ移動手段の振動変位をより小さくすることが可能となる。これにより、光記録媒体上に安定した集光を行うことができるという効果を奏する。
【００５３】
上記の光ピックアップ装置において、上記伝達機構は、上記モータの駆動力を伝達するギヤを複数備えることによって、伝達機構から発生される振動周波数が、対物レンズ移動手段の共振周波数の１．５倍以上となるように設定されている構成としてもよい。
【００５４】
上記構成によれば、伝達機構がモータの駆動力を伝達するギヤを複数備えていることにより、モータの駆動力を伝達することができるとともに、モータの回転数を段階的に低減することができるため、伝達機構が発生する振動周波数の設定を容易に行うことが可能となる。これにより、対物レンズ移動手段の振動変位を容易に小さくすることが可能となり、光記録媒体上に安定した集光を行うことができるという効果を奏する。
【図面の簡単な説明】
【図１】本発明の実施の形態における光ピックアップ装置の概略を示す平面図である。
【図２】上記光ピックアップ装置の概略を示す断面図である。
【図３】上記光ピックアップ装置に設けられた補正レンズ移動手段の概略を示す平面図である。
【図４】振動周波数と対物レンズアクチュエータの振動変位との相関の一例を示すグラフである。
【図５】従来の光ピックアップ装置を示す断面図である。
【図６】従来の光ピックアップ装置を示す断面図である。
【符号の説明】
１    光ピックアップ装置
３    光源
６    第１補正レンズ（補正レンズ）
７    第２補正レンズ（補正レンズ）
８    補正レンズ移動手段
１０    対物レンズアクチュエータ（対物レンズ移動手段）
１３    光ディスク（光記録媒体）
１４    モータ
１５    ギヤユニット（伝達機構）
２９    対物レンズ
【図１】
2004253049.tif 000003
【図２】
2004253049.tif 000004
【図３】
2004253049.tif 000005
【図４】
2004253049.tif 000006
【図５】
2004253049.tif 000007
【図６】
2004253049.tif 000008